(57)【要約】      （修正有）【課題】安全性を確保すると共に接着剤等の流体の供給量を安定させコスト的にも安価なスプレーガンへの流体供給装置を提供する。【解決手段】接着剤が収容される容器本体と、この容器本体内へ接着剤を入れるために容器本体に設けられる開口部と、この開口部に取り付けられるキャップ状部材５と、このキャップ状部材５に設けられ、エアーレギュレータＡからのエアーを容器本体内に導入するための第１パイプ６１が連結される第１連結部５１と、キャップ状部材５に設けられ、スプレーガンＳへ接着剤を供給するための第２パイプ６２が連結するための第２連結部６１と、容器本体を支持して床面に設置可能にするための容器支持部３と、を備えた。【選択図】図４
0003181745.tif 000002
【実用新案登録請求の範囲】
【請求項１】
流体が収容される容器本体と、
この容器本体内へ流体を入れるために容器本体に設けられる開口部と、
この開口部に取り付けられるキャップ状部材と、
このキャップ状部材に設けられ、エアーレギュレータを介してエアーを容器本体内に導入するための第１パイプが連結される第１連結部と、
前記キャップ状部材に設けられ、スプレーガンへ流体を供給するための第２パイプが連結するための第２連結部と、
前記容器本体を支持して床面に設置可能にするための容器支持部と、を備えたことを特徴とするスプレーガンへの流体供給装置。
【請求項２】
前記容器本体は樹脂製であり、この容器本体を収容する段ボール箱を更に備え、この段ボール箱が金属製の前記容器支持部に収容されることを特徴とする請求項１に記載のスプレーガンへの流体供給装置。
【請求項３】
前記段ボール箱は直方体もしくは立方体であり、床面に対して傾斜した状態で設置可能になるように、前記容器支持部に収容されることを特徴とする請求項２に記載のスプレーガンへの流体供給装置。
【請求項４】
前記容器支持部の外周面には補強用プレートが取り付けられることを特徴とする請求項１〜３のいずれか１項に記載のスプレーガンへの流体供給装置。
【請求項５】
前記流体は接着剤であることを特徴とする請求項１〜４のいずれか１項に記載のスプレーガンへの流体供給装置。
【考案の詳細な説明】
【技術分野】
【０００１】
本考案は、スプレーガンへ接着剤等の流体を供給するための流体供給装置の改良に関するものである。
【背景技術】
【０００２】
かかる流体供給装置としては、図７に示すような接着剤供給装置がある。接着剤は所定の容器本体に収容され、この容器本体が段ボール箱１００に更に収容される。段ボール箱１００は、床面Ｇから所定高さＨ、例えば、２ｍぐらいの位置に設置される。段ボール箱１００の下面には柔軟性のあるパイプ１０２を連結するための連結部１０１が設けられる。パイプ１０１の一端は連結部１０１に連結され、他端はスプレーガンＳに連結される。重力を利用して接着剤をスプレーガンＳに供給する方式である。
【０００３】
また、重力を利用してスプレーガンへ塗料を供給する装置は、例えば、下記の特許文献１に開示されている。
【０００４】
その他の方式として、下記特許文献２に開示される接着剤塗布装置がある。この装置は、接着剤を充填させた変形可能な密閉容器と、この密閉容器を収容する加圧タンクを有し、密閉容器に外部から圧力をかけて収縮させて接着剤を供給している。
【先行技術文献】
【特許文献】
【０００５】
【特許文献１】特開平６−３２８０１４号公報
【特許文献２】特開２０００−２４７０７３号公報
【考案の概要】
【考案が解決しようとする課題】
【０００６】
上記先行技術における課題は次の通りである。まず、重力を利用して流体を供給する場合、重量のある（例えば２０ｋｇ）容器本体（段ボール箱）を所定の高さまで上げなければならず重労働であり危険性がある。また、機械的に容器本体を持ち上げたとしても、重量のある容器本体が頭上にあるのは、地震時などに落下すると危険である。
【０００７】
また、重力を利用して接着剤を供給する場合、ある程度使用して接着剤がなくなってくると、接着剤の落ちが悪くなり、スプレーガンからの塗布量が変化してしまう。
【０００８】
さらに、変形可能な容器を加圧タンクに収容する場合、加圧タンクに耐圧性が要求され、また加圧タンク自体が高価であるため、ユーザーの金銭的負担が大きくなってしまう。
【０００９】
本考案は上記実情に鑑みてなされたものであり、その課題は、安全性を確保すると共に接着剤等の流体の供給量を安定させコスト的にも安価なスプレーガンへの流体供給装置を提供することである。
【課題を解決するための手段】
【００１０】
上記課題を解決するため本考案に係るスプレーガンへの流体供給装置は、
接着剤が収容される容器本体と、
この容器本体内へ流体を入れるために容器本体に設けられる開口部と、
この開口部に取り付けられるキャップ状部材と、
このキャップ状部材に設けられ、エアーレギュレータを介してエアーを容器本体内に導入するための第１パイプが連結される第１連結部と、
前記キャップ状部材に設けられ、スプレーガンへ流体を供給するための第２パイプが連結するための第２連結部と、
前記容器本体を支持して床面に設置可能にするための容器支持部と、を備えたことを特徴とするものである。
【００１１】
かかる構成による流体供給装置の作用・効果を説明する。容器本体には接着剤等の流体が充填される。流体は、容器本体の開口部から充填させることができる。開口部には、キャップ状部材が取り付けられる。さらに、このキャップ状部材には第１連結部と第２連結部が設けられる。第１連結部からは第１パイプを介して圧力のかかったエアーが導入される。これにより、容器本体の内部の流体に対して加圧され、第２連結部に連結された第２パイプを介して流体がスプレーガンに向けて押し出され、供給される。エアーレギュレータから所定圧力に調整されたエアーが供給されるので、スプレーガンへ供給される流体もその供給量が安定した状態で供給される。エアーレギュレータを利用して流体を供給できるので、容器本体を高い場所に設置する必要はなく、作業者の足元の床面等に設置することができ、安全性を確保することができる。また、加圧タンクのような高価な設備は不要であり、コストも安価である。従って、安全性を確保すると共に接着剤等の流体の供給量を安定させコスト的にも安価なスプレーガンへの流体供給装置を提供することができる。
【００１２】
本考案において、前記容器本体は樹脂製であり、この容器本体を収容する段ボール箱を更に備え、この段ボール箱が金属製の前記容器支持部に収容されることが好ましい。
【００１３】
容器本体を樹脂製とすることで重量を軽減することができ取り扱いも容易である。さらに、これを段ボール箱に収容することで、その状態で搬送することができる。また、段ボール箱に収容した状態で使用することができる。この段ボール箱を金属製の容器支持部に収容することで、加圧されたエアーを容器本体内に導入した時、膨張しようとする容器本体を確実に保持することができる。
【００１４】
本考案において、前記段ボール箱は直方体もしくは立方体であり、床面に対して傾斜した状態で設置可能になるように、前記容器支持部に収容されることが好ましい。
【００１５】
段ボール箱を傾斜して設置することで、収容された容器本体も傾斜した状態に設置される。また、傾斜させることで、傾斜した容器本体の最も底部に第２パイプの先端を位置させ、最後の最後まで、流体を確実に第２パイプを介して押出すように構成することができる。
【００１６】
本考案において、前記容器支持部の外周面には補強用プレートが取り付けられることが好ましい。容器支持部には内面側から圧力が作用するので、補強用プレートを設けることで、容器支持部の変形を押えることができる。
【図面の簡単な説明】
【００１７】
【図１】接着剤供給装置の構成を示す概略図
【図２】段ボール箱の中に容器本体を収容した状態を示す図
【図３】容器支持部に段ボール箱を収容した状態を示す図
【図４】接着剤供給装置の全体構成を示す図
【図５】主要部の構成を示す拡大図
【図６】接着剤供給装置の内部構成を示す概念図
【図７】従来技術を示す図
【考案を実施するための形態】
【００１８】
本考案に係るスプレーガンへの流体供給装置の好適な実施形態を図面を用いて説明する。図１は、流体供給装置の一例である接着剤供給装置の構成を示す概略図である。接着剤としては、例えば、水性接着剤等の粘度を有するものが使用される。
【００１９】
＜概略構成＞
図１において、容器本体１は、ポリエチレン製の樹脂で形成された容器である。色は無色透明もしくは半透明であるが特定の色に限定されるものではない。また、ポリエチレンに限定されるものではなく、ポリプロピレン等の樹脂で形成してもよい。容器本体１の形状は、略立方体、もしくは略直方体である。容器本体１の上面には、接着剤を内部に入れるための開口部１ａが設けられており、キャップ１ｂにより封鎖されている。内部に接着剤を充填するときは、ネジ式のキャップ１ｂを回転して外し、開口部１ａを露出させることで、接着剤を入れることができる。開口部１ａは、中心にあるのではなく、中心から少しずれた位置にある。
【００２０】
段ボール箱２は、上記容器本体１を収容できる形状を有しており、容器本体１に対応した形状を有する。すなわち、容器本体１が立方体であれば立方体であり、容器本体１が直方体であれば直方体である。容器本体１の開口部１ａに対応した位置に開口孔２ａが形成される。
【００２１】
図２は、段ボール箱２の中に容器本体１を収容して段ボール箱２に封をした状態を示す。キャップ１ｂと開口部１ａが段ボール箱２の上表面から突出している。
【００２２】
図３は、容器支持部３に段ボール箱２を収容した状態を示す図である。容器支持部３は、段ボール箱２がそのまま嵌り込む凹部を有する支持本体３０を有する。凹部は、立方体もしくは直方体の形状を有する空間である。これは段ボール箱２の形状に対応した空間として構成される。
【００２３】
支持本体３０は傾斜した状態で設置できるように４本の脚部３１が取り付けられている。傾斜角度としては、例えば、３０゜である。この角度は適宜設定することができ、角度を調整する機構を設けてもよい。支持本体３０は、ステンレス板あるいは鋼板などの金属板を結合して構成することができる。４本の脚部３１も同じ素材で形成することができる。脚部３１は強度を持たせるために断面コの字状に形成された金属板を用いることができる。支持本体３０の外周であって上下方向の中央幅部分に補強用プレート３２が取り付けられる。補強用プレート３２も断面コの字に形成される。これにより、スプレーガン使用時における支持本体３０の変形を抑制することができる。
【００２４】
容器本体１の開口部１ａには、平面視でＣ字状のプレート４が嵌め込まれる。開口部１ａの強度を保持するために使用される。プレート４は、金属製もしくは樹脂製のものが使用される。なお、図３において、キャップ１ｂは取り外されており、支持本体３０の上面に被せる蓋体も取り外されている。
【００２５】
＜接着剤供給装置の全体構成＞
図４は、接着剤供給装置の全体構成を示す図である。図５は、主要部の構成を示す拡大図である。
【００２６】
図４において、支持本体３０の上部に蓋体３３がかぶせられている。蓋体３３は適宜のロック機構により支持本体３０の上部に取り付けられる。蓋体３３には長孔３３ａが形成されており、容器本体１の開口部１ａが突出可能になっている。この開口部１ａには、アダプターとして機能するキャップ状部材５が結合される。
【００２７】
図５に示すように、キャップ状部材５には、第１連結部５１と第２連結部５２が取り付けられる。第１連結部５１は金属製の小径のパイプであり、これにエアーレギュレータＡと接続するための第１パイプ６１が連結される。第１パイプ６１は柔軟性を有するパイプである。第２連結部５２は、第１連結部５１よりも大径の金属製の小パイプであり、これにスプレーガンＳと接続するための第２パイプ６２が連結される。第２パイプ６２も柔軟性を有するパイプである。第１連結部５１と第１パイプ６１の連結方法、第２連結部５２と第２パイプ６２の連結方法は、嵌めこみ、ねじ込み等の公知の方法により行うことができる。なおエアーレギュレータＡは、不図示のコンプレッサーに接続されている。
【００２８】
キャップ状部材５の上面には金属製の円形プレート５３が取り付けられており、これを介して、第１連結部５１および第２連結部５２が取り付けられる。
【００２９】
＜接着剤供給装置の内部構成＞
図６は、接着剤供給装置の内部構成を示す概念図である。容器本体１は図示するように傾斜した状態で設置される。容器本体１の内部には接着剤Ｂが充填されており、接着剤Ｂが使用されていくと、上部左側に空間Ｃが形成されていく。キャップ状部材５は、この空間Ｃが形成し始める位置に設けられている。
【００３０】
エアーレギュレータＡを設けることで、空間Ｃを介して、常時一定の圧力を接着剤Ｂの液面に対して作用する。これにより、第２パイプ６２から供給される接着剤の圧力も一定になり安定する。この圧力は、接着剤Ｂの量が少なくなってきても変わらない。そのため第２パイプ６２の端部６２ａは、容器本体１の最も底部に置くようにする。この底部には最後まで接着剤Ｂが残る位置であるため、常時一定の圧力で接着剤を供給させることができる。圧力としては、例えば、０．０５ＭＰａである。圧力は、エアーレギュレータＡで調整することができる。スプレーガンＳの仕様や接着剤Ｂの種類に応じて、適切な数値を設定することができる。
【００３１】
容器本体１の内部からエアーにより圧力をかける方式であるが、容器本体１を収容した段ボール箱２を金属製の容器支持部３に収容しているので、容器本体１の変形を抑制することができる。また、箱型に形成された支持本体３０にも内面から圧力が作用するが、補強用プレート３２を取り付けているので、支持本体３０の変形も抑制することができる。
【００３２】
本考案に係る容器支持部３は、床面に設置可能である。従って、地震等が発生したとしても容器本体１が落下するなどの危険性がなく安全である。また、加圧タンクのように高価な設備も不要である。重力により接着剤を供給するのではなく、エアーレギュレータＡを用いることで、接着剤の使用開始から最後まで安定した圧力で接着剤をスプレーガンＳへ供給することができる。
【００３３】
＜別実施形態＞
キャップ状部材は、特定の形状に限定されるものではなく、種々の形状を採用することができる。開口部に取り付けられるものであれば、円筒形、異形など、どのような形状であってもよい。
【００３４】
本考案において、流体の具体例は接着剤に限定されるものではなく、塗料等の流体の場合にも、適用できるものである。接着剤も水性接着剤以外のものを使用してもよい。
【符号の説明】
【００３５】
１        容器本体
１ａ      開口部
２        段ボール箱
３        容器支持部
５        キャップ状部材
３０      支持本体
３１      脚部
３２      補強用プレート
３３      蓋体
５１      第１連結部
５２      第２連結部
６１      第１パイプ
６２      第２パイプ
Ａ        エアーレギュレータ
Ｂ        接着剤
【図１】
0003181745.tif 000003
【図２】
0003181745.tif 000004
【図３】
0003181745.tif 000005
【図４】
0003181745.tif 000006
【図５】
0003181745.tif 000007
【図６】
0003181745.tif 000008
【図７】
0003181745.tif 000009